【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
靴用の弾性構造体である、長手方向、幅方向、及び垂直方向に伸びるシャンクを備える靴であって、
前記シャンクは、
圧縮されていない状態で第１の面内において前記長手方向および前記幅方向に伸びる略平面形状のベース部と、
圧縮されていない状態で前記第１の面に対して傾斜している第２の面内において伸びるように配置され、前記垂直方向において靴にかかる荷重を吸収する、略平面形状の傾斜部と、を備え、
前記靴は更に、ミッドソールとアウトソールとを含み、
前記アウトソールは第１の部分と第２の部分とに分離されており、
前記第１の部分は前記アウトソールの前足部に配置されており、
前記第２の部分は、前記第１の部分から後方に、前記靴のかかと部から離間した位置まで伸びており、前記第２の部分は前記かかと部から離間した位置において終了しており、
前記かかと部は、前記第２の部分が前記かかと部と地面との間に入り込むことなく、前記地面と接するように構成されており、
前記シャンクの前記ベース部の少なくとも一部は、前記アウトソールに付与された荷重によって前記シャンクの前記ベース部が前記傾斜部に相対的に移動して前記シャンクが圧縮された状態となるように、前記アウトソールの前記第２の部分と接合されており、
前記シャンクが圧縮されていない状態において、前記アウトソールの前記第２の部分の第１の位置が前記ミッドソールから離間することで、前記ミッドソールと前記アウトソールの前記第２の部分の前記第１の位置との間にギャップが形成され、
前記シャンクが圧縮されている状態において、前記第２の部分の前記第１の位置が前記ミッドソールと接触する、
靴。
【請求項２】
前記傾斜部は、圧縮された状態において、前記傾斜部の面と前記ベース部の面とが略同一平面となるように構成されている、請求項１に記載の靴。
【請求項３】
前記傾斜部は、前記荷重が開放された際に、前記圧縮されていない状態へと戻り、
更に、前記第２の部分は前記靴のアーチ部にある前記第１の位置で終了しており、前記第２の部分が、前記第１の部分から後方に伸び、前記アーチ部で終了している、
請求項２に記載の靴。
【請求項４】
前記傾斜部は、前記傾斜部と前記ベース部とをつなぐネック部を備え、
前記ネック部が屈曲することで、前記傾斜部が圧縮されていない状態から圧縮されている状態へと変形する、
請求項１乃至３のいずれか一項に記載の靴。
【請求項５】
前記ベース部は、略平面形状の第１のシャンクアームを備え、
前記第１のシャンクアームは、前記幅方向において前記傾斜部と分離されており、前記第１の面内において、前記長手方向の端部へと伸びている、
請求項１乃至４のいずれか一項に記載の靴。
【請求項６】
前記ベース部は、略平面形状の第２のシャンクアームを備え、
前記第２のシャンクアームは、前記幅方向において前記傾斜部から分離されており、前記第１の面内において、前記長手方向の端部へと伸びており、
前記第２のシャンクアームは、前記傾斜部に対して前記第１のシャンクアームと反対側に配置されている、
請求項５に記載の靴。
【請求項７】
前記第１および第２のシャンクアームは、使用時における前記靴の回内運動を減少させるような大きさ及び配置となるように構成されている、請求項６に記載の靴。
【請求項８】
前記傾斜部は、外側フラップ部および内側フラップ部を備え、
前記外側フラップ部および前記内側フラップ部は各々、略長手方向および略垂直方向に伸びており、
前記外側フラップ部は着用者の足の外側に対応する位置に配置され、前記内側フラップ部は前記着用者の足の内側に対応する位置に配置されている、
請求項１乃至７のいずれか一項に記載の靴。
【請求項９】
前記ベース部と前記傾斜部は、単一材料で一体的に形成されている、請求項１乃至８のいずれか一項に記載の靴。
【請求項１０】
前記圧縮されていない状態において前記第２の面内において前記傾斜部から伸びる着地部を更に備える、請求項１乃至９のいずれか一項に記載の靴。
【請求項１１】
着用者の足の上部を受けるアッパーを更に備える、請求項１に記載の靴。
【請求項１２】
地面と接するアウトソールと、
着用者の足裏を受けるミッドソールと、を備え、
前記アウトソールは、靴底部品の前足部にある第１の部分と、前記靴底部品のアーチ部にある第２の部分とに分離されており、前記第１の部分はミッドソールに取り付けられており、前記第２の部分は前記靴底部品の前記アーチ部において前記ミッドソールから切り離されており、
前記第２の部分は、前記第１の部分から靴のかかと部と離間した位置まで伸びており、前記第２の部分は前記かかと部から離間した位置において終了しており、
前記かかと部は、前記第２の部分が前記かかと部と地面との間に入り込むことなく、前記地面と接するように構成されており、
前記第２の部分は、前記靴にかかる荷重が吸収されて圧縮された状態で、前記靴底部品の前記アーチ部において前記ミッドソールと接触するように、且つ、前記荷重が開放された際に、前記靴底部品の前記アーチ部において、前記第２の部分と前記ミッドソールとの間にギャップが形成されるように構成されており、
前記圧縮された状態において、前記第２の部分の第１の位置が前記ミッドソールと接触し、
前記圧縮されていない状態における前記第２の部分と前記ミッドソールとの間のギャップが、前記第２の部分の前記第１の位置と、前記第２の部分の前記第１の位置の直上の位置における前記ミッドソールの位置との間のギャップであり、
前記靴底部品は、前記靴底部品用の弾性構造体であるシャンクを更に備え、
前記シャンクは、ベース部と傾斜部とを備え、
前記ベース部は、前記靴底部品が前記圧縮された状態から前記圧縮されていない状態に変化する際に、前記傾斜部に対して相対的に変位し、
前記ベース部の少なくとも一部は、前記アウトソールの前記第２の部分と接合されており、前記靴底部品が前記圧縮された状態から前記圧縮されていない状態に変化した際に、前記アウトソールと共に変位し、
前記第２の部分は前記靴のアーチ部にある前記第１の位置で終了しており、前記第２の部分が、前記第１の部分から後方に伸び、前記アーチ部で終了している、
靴底部品。
【請求項１３】
前記アウトソールは前記靴の衝撃を緩和する柔軟な材料で構成されており、
前記弾性構造体は、単一のヒンジ部において弾性的に変形するように構成された硬い材料で構成されている、
請求項１２に記載の靴底部品。
【請求項１４】
前記靴は、圧縮されていない状態において、前方に傾き、かかと部が宙に浮くことで均衡を保っている、請求項１１に記載の靴。
【請求項１５】
前記アウトソールの前足部は湾曲した底面を備え、
前記靴底部品は、圧縮されていない状態において、アーチ部およびかかと部に支持されることなく、前記前足部の前記湾曲した底面のみと接触することで、支持表面上においてバランスを保つように構成されている、
請求項１４に記載の靴。
【請求項１６】
前記傾斜部は、前記ミッドソールに接合されている、請求項１に記載の靴。
【請求項１７】
前記傾斜部は、垂直方向において前記ベース部の上部に位置している、請求項１６に記載の靴。
【請求項１８】
前記傾斜部は、前記ミッドソールに接合されている、請求項１２に記載の靴底部品。
【請求項１９】
前記傾斜部は、垂直方向において前記ベース部の上部に位置している、請求項１８に記載の靴底部品。
【請求項２０】
前記ギャップは、当該ギャップが前記靴の外部において露出するように、前記靴の外部に配置されている、請求項１に記載の靴。
【請求項２１】
前記ギャップは、前記靴の内側および外側の少なくとも一方に設けられている、請求項２０に記載の靴。
【請求項２２】
前記アウトソールの前記第２の部分の前記第１の位置と前記ミッドソールとの間のギャップは第１のギャップであり、前記第１のギャップは、前記靴の内側に位置しており、
前記シャンクが圧縮されていない状態において、前記アウトソールの前記第２の部分の第２の位置と前記ミッドソールとの間に第２のギャップが形成され、前記第２のギャップは前記靴の外側に位置している、
請求項２０に記載の靴。
【請求項２３】
前記ギャップは、前記靴の内側および外側の少なくとも一方に設けられている、請求項１２に記載の靴底部品。
【請求項２４】
前記ギャップは、当該ギャップが前記靴の外部において露出するように、前記靴の外部に配置されている、請求項１２に記載の靴底部品。
【請求項２５】
靴用の弾性構造体である、長手方向、幅方向、及び垂直方向に伸びるシャンクを備える靴であって、
前記シャンクは、
圧縮されていない状態で第１の面内において前記長手方向および前記幅方向に伸びる略平面形状のベース部と、
圧縮されていない状態で前記第１の面に対して傾斜している第２の面内において伸びるように配置され、前記垂直方向において靴にかかる荷重を吸収する、略平面形状の傾斜部と、を備え、
前記靴は更にアウトソールを備え、
前記アウトソールは第１の部分と第２の部分とに分離されており、
前記第１の部分は前記アウトソールの前足部に配置されており、
前記第２の部分は、前記第１の部分から後方に、前記靴のかかと部から離間した位置まで伸びており、前記第２の部分は前記かかと部から離間した位置において終了しており、
前記かかと部は、前記第２の部分が前記かかと部と地面との間に入り込むことなく、前記地面と接するように構成されており、
前記シャンクの前記ベース部の少なくとも一部は、前記アウトソールに付与された荷重によって前記シャンクの前記ベース部が前記傾斜部に相対的に移動して前記シャンクが圧縮された状態となるように、前記アウトソールの前記第２の部分と接合されており、
前記シャンクが圧縮されていない状態で、前記アウトソールの前記第２の部分の第１の位置において、前記アウトソールの前記第２の部分が、前記第１の位置の直上における前記靴の位置から離間することで、前記アウトソールの前記第２の部分の前記第１の位置と、前記アウトソールの前記第２の部分の前記第１の位置の直上における前記靴の位置と、の間に少なくとも一つのギャップが形成され、
前記少なくとも一つのギャップは、当該ギャップが前記靴の外部において露出するように、前記靴の外部に配置されており、
前記シャンクが圧縮されることで、前記アウトソールの前記第２の部分の前記第１の位置が、前記アウトソールの前記第２の部分の前記第１の位置の直上における前記靴の前記位置に向かって変位し、
前記第２の部分は前記靴のアーチ部にある前記第１の位置で終了しており、前記第２の部分が、前記第１の部分から後方に伸び、前記アーチ部で終了しており、
前記アウトソールの前記第２の部分は、外側アウトソールアームと内側アウトソールアームとを備え、
前記外側アウトソールアームおよび前記内側アウトソールアームは、幅方向において互いに離間しており、
前記少なくとも一つのギャップは、第１および第２のギャップを含み、
前記第１のギャップは、前記内側アウトソールアームの上部に位置しており、前記第２のギャップは、前記外側アウトソールアームの上部に位置している、
靴。
【請求項２６】
前記第１の位置の直上における前記靴の前記位置は、前記靴のミッドソールの位置である、請求項２５に記載の靴。
【請求項２７】
前記第１の位置と前記第１の位置の直上における前記靴の前記位置との間のギャップは第１のギャップであり、
前記第１のギャップは、前記靴の内側に位置しており、
前記シャンクが圧縮されていない状態において、前記アウトソールの前記第２の部分の第２の位置と、前記第２の位置の直上における前記靴の他の位置との間に第２のギャップが形成され、前記第２のギャップは前記靴の外側に位置しており、
前記アウトソールの前記第２の部分は、外側アウトソールアームと内側アウトソールアームとを備え、
前記外側アウトソールアームおよび前記内側アウトソールアームは、幅方向において互いに離間しており、
前記第１のギャップは、前記内側アウトソールアームの上部に位置しており、前記第２のギャップは、前記外側アウトソールアームの上部に位置している、
請求項１２に記載の靴底部品。
【手続補正２】
【補正対象書類名】明細書
【補正対象項目名】発明の名称
【補正方法】変更
【補正の内容】
【発明の名称】靴、及び靴底部品